(57)【特許請求の範囲】
【請求項１】
遊技者に発行され、該遊技者が遊技機で遊技を行なった結果該遊技者の所有となった有価価値の大きさを特定可能な情報が記録された有価価値用記録媒体と、
前記遊技を行なった結果遊技者の所有となった有価価値の大きさに基づいて、前記有価価値用記録媒体の記録情報により特定される前記有価価値の大きさを加算更新する有価価値加算更新手段と、
前記有価価値用記録媒体の記録情報を読取り、該読取った記録情報により特定された前記有価価値を景品交換に使用するための有価価値景品交換使用処理を行なう有価価値景品交換使用手段と、
前記有価価値用記録媒体の記録情報により特定された前記有価価値を前記遊技機による遊技を行なうために使用する有価価値遊技使用手段と、
前記有価価値用記録媒体の記録情報により特定された前記有価価値を前記遊技機による遊技を行なうために使用する場合の手数料を遊技場側が変更設定可能な手数料設定手段とを含み、
前記有価価値遊技使用手段は、
前記有価価値用記録媒体の記録情報を読取る読取手段と、
前記遊技機による遊技を行うために使用される前記有価価値の大きさに対し前記手数料を上乗せした大きさの有価価値を前記有価価値用記録媒体の記録情報により特定された前記有価価値から減算する減算手段とを含み、
前記遊技機による遊技を行うために使用する有価価値の大きさに対し前記手数料設定手段により変更設定された手数料分の有価価値を上乗せした大きさの有価価値が、前記読取手段により読取られた読取情報に基づいて特定される前記有価価値を超えないことを条件として、該有価価値を前記遊技機により遊技を行うために使用できるようにし、
前記有価価値景品交換使用手段は、前記読取った記録情報により特定された前記有価価値のうち特殊景品との交換に使用する有価価値の大きさを入力する入力手段を有し、前記有価価値景品交換使用処理として、前記入力手段にて入力された有価価値の大きさに相当する特殊景品を払出す処理を行なうことを特徴とする、遊技用設備装置。
【請求項２】
前記有価価値景品交換使用手段は、前記有価価値景品交換使用処理として、一般景品と交換可能な有価価値を特定可能な情報が記録された記録媒体を排出する処理を行ない、
前記遊技用設備装置は、前記排出された記録媒体の記録情報を読取り、該読取った記録情報により特定された前記有価価値を一般景品との景品交換に使用するための処理を行なう一般景品交換使用手段をさらに含むことを特徴とする、請求項１に記載の遊技用設備装置。
【発明の詳細な説明】
【０００１】
【発明の属する技術分野】
本発明は、パチンコ遊技機やコイン遊技機あるいはスロットマシン等で代表される遊技機により遊技を行なった結果遊技者の所有となった有価価値を景品交換に使用する遊技用設備装置に関する。
【０００２】
【従来の技術】
この種の遊技用設備装置において、従来から一般的に知られているものに、たとえば、遊技者が遊技機で遊技を行なった結果、遊技者が獲得した獲得有価価値を含む遊技者所有の有価価値がたとえば景品玉や景品コインあるいは得点の形で遊技者に付与され、その付与された有価価値を使用して遊技者が所望の景品に交換できるように構成されたものがあった。
【０００３】
【発明が解決しようとする課題】
一方、この種の従来の遊技用設備装置においては、遊技者が遊技の結果付与された有価価値を使用して再度遊技機による遊技を行なわんとする場合には、その付与された有価価値を所定の特殊景品に景品交換し、さらにその特殊景品を現金に交換してその現金を使用してたとえば貸玉や貸コイン等の価値物体を入手し、その入手した価値物体をたとえば遊技機に投入して遊技を行なっていた。このように従来の遊技用設備装置においては、遊技の結果遊技者に付与された有価価値を再遊技に使用するためには、一旦現金に交換しなければならないという煩雑な交換作業が必要となり、遊技者が不便に思うという欠点があった。
【０００４】
本発明は、係る実情に鑑み考え出されたものであり、その目的は、遊技の結果遊技者に付与された有価価値を使用して再遊技を行なう際の煩雑さを軽減することである。
【０００５】
【課題を解決するための手段】
請求項１に記載の本発明は、遊技者に発行され、該遊技者が遊技機で遊技を行なった結果該遊技者の所有となった有価価値の大きさを特定可能な情報が記録された有価価値用記録媒体と、
前記遊技を行なった結果遊技者の所有となった有価価値の大きさに基づいて、前記有価価値用記録媒体の記録情報により特定される前記有価価値の大きさを加算更新する有価価値加算更新手段と、
前記有価価値用記録媒体の記録情報を読取り、該読取った記録情報により特定された前記有価価値を景品交換に使用するための有価価値景品交換使用処理を行なう有価価値景品交換使用手段と、
前記有価価値用記録媒体の記録情報により特定された前記有価価値を前記遊技機による遊技を行なうために使用する有価価値遊技使用手段と、
前記有価価値用記録媒体の記録情報により特定された前記有価価値を前記遊技機による遊技を行なうために使用する場合の手数料を遊技場側が変更設定可能な手数料設定手段とを含み、
前記有価価値遊技使用手段は、
前記有価価値用記録媒体の記録情報を読取る読取手段と、
前記遊技機による遊技を行うために使用される前記有価価値の大きさに対し前記手数料を上乗せした大きさの有価価値を前記有価価値用記録媒体の記録情報により特定された前記有価価値から減算する減算手段とを含み、
前記遊技機による遊技を行うために使用する有価価値の大きさに対し前記手数料設定手段により変更設定された手数料分の有価価値を上乗せした大きさの有価価値が、前記読取手段により読取られた読取情報に基づいて特定される前記有価価値を超えないことを条件として、該有価価値を前記遊技機により遊技を行うために使用できるようにし、
前記有価価値景品交換使用手段は、前記読取った記録情報により特定された前記有価価値のうち特殊景品との交換に使用する有価価値の大きさを入力する入力手段を有し、前記有価価値景品交換使用処理として、前記入力手段にて入力された有価価値の大きさに相当する特殊景品を払出す処理を行なうことを特徴とする。
請求項２に記載の本発明は、請求項１に記載の発明の構成に加えて、前記有価価値景品交換使用手段は、前記有価価値景品交換使用処理として、一般景品と交換可能な有価価値を特定可能な情報が記録された記録媒体を排出する処理を行ない、
前記遊技用設備装置は、前記排出された記録媒体の記録情報を読取り、該読取った記録情報により特定された前記有価価値を一般景品との景品交換に使用するための処理を行なう一般景品交換使用手段をさらに含むことを特徴とする。
【０００６】
【作用】
請求項１に記載の本発明によれば、遊技者に発行された有価価値用記録媒体に、遊技機で遊技を行なった結果その遊技者の所有となった有価価値の大きさを特定可能な情報が記録される。有価価値加算更新手段の働きにより、遊技を行なった結果遊技者の所有となった有価価値の大きさに基づいて、前記有価価値用記録媒体の記録情報により特定される前記有価価値の大きさが加算更新される。有価価値景品交換使用手段の働きにより、有価価値用記録媒体の記録情報が読取られ、該読取られた記録情報により特定された前記有価価値を景品交換に使用するための有価価値景品交換使用処理を行なうことが可能となる。有価価値遊技使用手段の働きにより、前記有価価値用記録媒体の記録情報により特定された前記有価価値が遊技機による遊技を行なうために使用される。手数料設定手段の働きにより、前記有価価値用記録媒体の記録情報により特定された前記有価価値を前記遊技機による遊技を行なうために使用する場合の手数料を遊技場側が変更設定可能となる。読取手段の働きにより、前記有価価値用記録媒体の記録情報が読取られる。減算手段の働きにより、前記遊技機による遊技を行うために使用される前記有価価値の大きさに対し前記手数料を上乗せした大きさの有価価値が前記有価価値用記録媒体の記録情報により特定された前記有価価値から減算される。前記遊技機による遊技を行うために使用する有価価値の大きさに対し前記手数料設定手段により変更設定された手数料分の有価価値を上乗せした大きさの有価価値が、前記読取手段により読取られた読取情報に基づいて特定される前記有価価値を超えないことを条件として、該有価価値を前記遊技機により遊技を行うために使用できるようになる。さらに、有価価値景品交換使用手段は、前記読取った記録情報により特定された前記有価価値のうち特殊景品との交換に使用する有価価値の大きさを入力する入力手段を有し、前記有価価値景品交換使用処理として、前記入力手段にて入力された有価価値の大きさに相当する特殊景品を払出す処理を行なう。
請求項２に記載の本発明によれば、請求項１に記載の発明の作用に加えて、有価価値景品交換使用手段は、前記有価価値景品交換使用処理として、一般景品と交換可能な有価価値を特定可能な情報が記録された記録媒体を排出する処理を行なう。一般景品交換使用手段の働きにより、前記排出された記録媒体の記録情報が読取られ、該読取られた記録情報により特定された有価価値を一般景品との景品交換に使用するための処理が行なわれる。
【０００７】
つまり、有価価値遊技使用手段の働きにより、遊技の結果遊技者の所有となった有価価値を再遊技に使用する際にわざわざ一旦現金に交換する必要がなくなる。
【０００８】
【発明の実施の形態】
次に、本発明の実施の形態を図面に基づいて説明する。
【０００９】
第１図は、本発明に係る遊技用設備装置の全体の概略を示すシステムブロック図である。
【００１０】
図中１２は玉貸カード発行会社であり、ＣＰＵ，ＲＡＭ，ＲＯＭ等を内蔵するホール別売上集計用の集中管理コンピュータ１３が設置されている。この玉貸カード発行会社１２からは玉貸カード１１８（図３参照）が発行されて各遊技場１，１１…に出荷される。なお、玉貸カード１１８は玉貸カード販売機２で販売する時に情報を書込むようにしてもよいし、予め情報を書込んでおくようにしてもよい。各遊技場１，１１…と玉貸カード発行会社１２の集中管理コンピュータ１３とは各遊技場１，１１…に設置されているターミナルボックス６と通信回線により接続されており、情報の伝達が可能に構成されている。
【００１１】
なお、遊技場１１については、遊技場１と同様の構成を有しているためにここでは、詳細な説明および図示を省略する。
【００１２】
図中１９は有価価値用記録媒体発行センター（会員用記録媒体発行センター）の一例の景品カード発行会社であり、ＣＰＵ，ＲＡＭ，ＲＯＭ等を内蔵する集中管理コンピュータ２０が設置されている。この集中管理コンピュータ２０と各遊技場１，１１…に設置されているターミナルボックス７とが通信回線により接続されており情報の伝達が可能に構成されている。図中１４，１５は、景品カード発行会社１９に加盟している会員用記録媒体取扱店の一例の加盟店であり、それぞれに、ＣＰＵ，ＲＡＭ，ＲＯＭを内蔵する加盟店用管理コンピュータ１８が設置されている。それらの加盟店用管理コンピュータ１８およびターミナルボックス１７と景品カード発行会社の集中管理コンピュータ２０とが通信回線により接続されており、情報の伝達が可能に構成されている。
【００１３】
図中２１は銀行であり、ＣＰＵ，ＲＡＭ，ＲＯＭ等を内蔵するコンピュータ等からなる中央装置２２が設置されている。この中央装置２２はデータベース２３を含み、このデータベース２３には、各遊技場１，１１や玉貸カード発行会社１２，景品カード発行会社１９，各加盟店１４，１５等の口座およびそれらの口座に預金されている預金金額等が記憶されている。データベース２３内に図示された記号Ａ，Ｂ，Ｃ，Ｄ，Ｅ，Ｆは、それぞれ玉貸カード発行会社１２，遊技場１，遊技場１１，加盟店１４，加盟店１５，景品カード発行会社１９のそれぞれの口座を示し、図示された矢印は、ある口座から他の口座に矢印方向に金が移ることを意味している。
【００１４】
玉貸カード発行会社１２から遊技場１に出荷された玉貸カード１１８は玉貸カード販売機２により利用者（遊技者）に販売される。利用者は代金または後述する会員用記録媒体の一例の景品カード１２０（図４参照）を玉貸カード販売機２に挿入することにより所定の金額が記録された玉貸カードが付与される。利用者は遊技場に設置されている複数の遊技機の一例のパチンコ機４やスロットマシン５の中から遊技してみたいパチンコ機４やスロットマシン５に対応したカード処理機３ａ，３ｂに前記玉貸カードを挿入する。そしてその玉貸カードに記録されている金額を使用することによりパチンコ機４に遊技玉が払出されたりスロットマシン５に遊技用のコインが払出されて遊技が可能となる。
【００１５】
そして、遊技が終了すれば、遊技に使用した金額だけ玉貸カード１１８に記録されている金額が減額更新されてその残額が記録された玉貸カード１１８が遊技者に払出されるとともに、遊技機による遊技の結果遊技者の所有となる有価価値の一例の景品玉や景品コインが利用者に払出される。利用者は、その払出された景品玉や景品コインをそれぞれ景品処理装置８の玉計数器９６やコイン計数器９７（図２参照）に投入し、その投入された景品玉数や景品コイン数が計数される。この景品処理装置８は、投入された景品玉数や景品コイン数に相当する有価価値の範囲内で、景品カード１２０（図４参照）に記録されている有価価値の加算更新をしたり、特殊景品１２２（図５参照）との交換を可能にしたり玉数カード（図示せず）を発行したりする機能を有する。さらに、この景品処理装置８は、景品カード１２０を新規発行する機能も有する。この景品カード１２０とは、所定の会員向けに発行される会員用のカードであり、この景品カードにより、所定の会員向けに発行された会員用記録媒体が構成されている。発行された玉数カードを利用者がカウンタに設けられている玉数カード読取装置９に挿入してその玉数カードに記録されている玉数情報を読取ってもらい、その読取った玉数情報の範囲内でたばこやチョコレート等の一般景品との交換が可能に構成されている。
【００１６】
遊技場１００内に設置された玉貸カード販売機２，カード処理機３ａ，３ｂ，パチンコ機４，スロットマシン５，景品処理装置８，玉数カード読取装置９はそれぞれホール用管理コンピュータ１０に接続されており、情報の伝達が可能に構成される。このホール用管理コンピュータ１０は、ＣＰＵ，ＲＡＭ，ＲＯＭ等を内蔵しており、玉貸カード販売金額，玉貸カード使用金額，パチンコ機４，スロットマシン５の利益球数や不利益球数，景品処理装置８によって計数された景品玉や景品コインの個数データ，玉数カードを使用しての一般景品の交換額情報，景品カードの増額更新情報，景品カードの新規発行情報，特殊景品の交換額情報等の遊技場で発生する種々の情報を集中管理する。なお、景品処理装置８によって発行された玉数カードは、当該遊技場１でかつ当日限りという条件で景品交換することが可能なものである。この玉数カードに記録されている玉数情報と同じ情報がホール用管理コンピュータ１０にも記憶されており、玉数カードが使用されてその記憶玉数が減額更新される毎にホール用管理コンピュータ１０の対応する玉数情報も減額更新され、玉数カードが使用される毎にその玉数カードに記録されている玉数情報とホール用管理コンピュータに記憶されている玉数情報とが一致するか否かをチェックするいわゆる背番号管理が行なわれている。利用者に払出された景品カード１２０を玉貸カード販売機２に挿入してその景品カードに記録されている有価価値の範囲内で利用者が玉貸カード１１８を購入することができる。
【００１７】
遊技場１に設置されている玉貸カード販売機２の景品カード使用による売上額（販売額）に関する情報がターミナルボックス７を介して通信回線により景品カード発行会社１９の集中管理コンピュータ２０に伝送される。なおこのターミナルボックス７と集中管理コンピュータ２０とは必ずしもオンラインにより接続する必要はなく、玉貸カード販売額を集計してその集計金額を記載した伝票等を作成し、その伝票等によるオフラインにより玉貸カード販売額を集中管理コンピュータ２０に入力してもよい。
【００１８】
また、遊技場内に特殊景品交換装置を設け、利用者が払出された特殊景品をこの特殊景品交換装置に挿入することによりその挿入された特殊景品１２２に相当する金額の現金が利用者に払出されるようにしてもよい。なお、現金の払出しの代わりに利用者の景品カード１２０の残額を増額更新するようにしてもよい。この特殊景品交換装置を設ける場合には、その特殊景品交換装置をターミナルボックスを介して景品カード発行会社１９の集中管理コンピュータ２０に接続し、特殊景品１２２の景品カード発行会社１９への入庫額が集中管理コンピュータ２０に伝送されるように構成するのが望ましい。
【００１９】
なお、この特殊景品交換装置や景品処理装置８を遊技場の外に設けられた景品交換所に設置してもよい。
【００２０】
一方、後述するカタログによる景品交換ではなく実際にその景品を目で見て確かめて購入したいという利用者は、景品カード１２０を持参して加盟店１４，１５に行き、その景品カード１２０を加盟店１４，１５に設置されている景品カード処理装置１６に挿入し、加盟店１４，１５で販売されている商品やサービス等の売買対象からなる景品で自己の欲するものの種類や個数を景品カード処理装置１６に入力する。するとその入力された景品に相当する金額が景品カード１２０の残額から減算されて減算された後の景品カード１２０が利用者に返却される。このようにして利用者は目で実際に景品を見て確かめて入手することもできる。なお、景品カード発行会社１９の集中管理コンピュータ２０と各加盟店１４，１５に設置されている加盟店用管理コンピュータ１８は必ずしもオンラインにより接続する必要はなく、遊技場１，１１から送信されてきた景品番号や景品個数ならびにその景品番号に対応する利用者の住所，氏名，電話番号等を集計して伝票等に記入し定期的に一括してオフラインにより各加盟店１４，１５に送るようにしてもよい。
【００２１】
特殊景品を現金に交換する特殊景品精算機２４が銀行２１に設置されており、利用者は自己の所有する特殊景品を銀行２１に持参しその特殊景品を銀行２１に設置されている特殊景品精算機２４に挿入して現金に変換することができる。この銀行２１に設置されている特殊景品精算機２４はターミナルボックス２５を介して景品カード発行会社１９の集中管理コンピュータ２０に通信回線で接続されており、特殊景品１２２の交換額がターミナルボックス２５を介して集中管理コンピュータ２０に伝送されるように構成されている。
【００２２】
景品カード発行会社１９の集中管理コンピュータ２０と銀行２１のデータベース２３とが通信回線により接続されており、集中管理コンピュータ２０からデータベース２３に次のような情報が伝送される。すなわち、遊技場１，１１に設けられている景品処理装置８によって増額更新された景品カードの増額更新額情報、遊技場１，１１に設けられている玉貸カード販売機２を利用して景品カードにより玉貸カードが販売されたその玉貸カード売上額情報、各加盟店１４，１５での景品カードを使用した景品の売上額情報（景品交換額情報）等が伝送される。一方、玉貸カード販売会社１２の集中管理コンピュータ１３からは、遊技場１，１１において販売された玉貸カード金額の合計と遊技場１，１１で玉貸カードが使用された使用金額合計との差額情報がデータベース２３に伝送されてくる。
【００２３】
データベース２３では、前記各種伝送されてきた情報に基づいて、各口座間で図示矢印で示した方向に金を移動させる。すなわち、玉貸カード販売会社の口座Ａと各遊技場の口座Ｃ，Ｂとの間で玉貸カードの販売金額の合計（カード代金）とカード処理機３ａ，３ｂによって使用された玉貸カードの使用金額合計との差額だけ金を移動させる。遊技場１，１１に設けられている玉貸カード販売機２を利用して景品カード１２０により販売された玉貸カード１１８の売上合計金額から手数料を差引いた金額が景品カード発行会社１９の口座Ｆから各遊技場１，１１の口座Ｂ，Ｃに移動する。各遊技場１，１１に設けられている景品処理装置８によって増額更新された景品カードの増額更新額と各遊技場１，１１が仕入れた特殊景品１２２の仕入代金に対し手数料を上乗せした金額の合計が各遊技場１，１１の口座Ｂ，Ｃから景品カード発行会社１９の口座Ｆに移動する。なお、実際には、口座ＦとＣ，Ｂとの間では、カード増額更新額および特殊景品仕入代金（手数料上乗せ）と売上額（手数料を差引く）とが相殺された金額だけが移動するようになる。さらに、各加盟店１４，１５での景品カード１２０を用いた景品の売上額（景品交換額）から手数料を差引いた金額が景品カード発行会社１９の口座Ｆから各加盟店１４，１５の口座Ｄ，Ｅに移動する。
【００２４】
図２は、遊技場の要部および銀行に設けられた特殊景品精算機を示す概略構成図である。
【００２５】
遊技場１に設置されている玉貸カード販売機２は、紙幣挿入口３２が設けられており、利用者（遊技者）が紙幣を紙幣挿入口３２から挿入することによりその挿入された紙幣が紙幣識別器３３で識別され、偽札等の不適正な紙幣であった場合には利用者に返却されるが適正な紙幣であった場合には紙幣収納部３４内に取込まれる。そして投入紙幣に相当する金額が金額／残額表示器２９により表示され、その表示額の範囲内でカード選択ボタン４４を選択操作する。玉貸カード１１８には、たとえば、１０００円，２０００円，３０００円，５０００円，１００００円の５種類の金額のカードがあり、カード選択ボタン４４を選択して押圧操作することにより前記５種類の玉貸カード１１８のうち希望する玉貸カード１１８を指定することができる。このカード選択ボタン４４を押圧することにより、その押圧操作によって指定された金額の玉貸カード１１８を玉貸カード収納部３８から取出してその取出された玉貸カード１１８が選択指定された金額の玉貸カード１１８であるか否かを玉貸カード処理器３７により識別し、選択された金額の玉貸カードであると識別された場合に玉貸カード排出口３６からその玉貸カード１１８が払出される。その後、釣銭がある場合には紙幣払出装置４０が作動して紙幣払出口３９から釣銭が利用者に払出される。なお図中４９は制御部であり、玉貸カード販売機２を制御するためのマイクロコンピュータ等から構成されている。
【００２６】
この玉貸カード販売機２は紙幣等の貨幣の投入ばかりでなく景品カード１２０を使用しても玉貸カード１１８の販売が可能である。この場合には、景品カード１２０を景品カード挿入口４２に挿入する。すると景品カード処理器４３により挿入された景品カード１２０が適正カードであるか否かを識別し、不適正カードであった場合には不正カードが投入されたことを金額／残額表示器２９により遊技場の係員に報知したり挿入カードを機内に回収したりする異常処理が行なわれる。挿入カードが適正なカードであった場合にはその挿入カードに記録されているカード情報が景品カード処理器４３により読取られ、次に利用者が暗証番号を暗証番号入力キー３５から入力する。その入力された暗証番号が不適正な番号であった場合には金額／残額表示器２９でエラー表示する。その際に挿入カードを回収するようにしてもよい。入力された暗証番号が正しい番号であった場合には挿入された景品カード１２０に記録されている残高が金額／残額表示器２９により表示される。利用者はこの金額／残額表示器２９により表示された金額の範囲内でカード選択ボタン４４を選択操作する。その選択操作はたとえば挿入カードの残額よりも高い金額の玉貸カードを選択操作する等のように不適正な選択操作であった場合には、再遊技使用額表示器３０によりエラー表示して利用者の再操作を待つ。一方、選択操作が適正な操作であった場合には、再遊技使用額表示器３０により選択された玉貸カードのカード額面とその玉貸カード１１８の販売に伴う手数料との合計が表示される。利用者がその表示を見て確認ボタン４５を押圧操作すれば、玉貸カード排出口３６から玉貸カードが利用者側に排出される。
そして、希望する金額の玉貸カード１１８を購入した後の景品カード１２０の残り金額の算出すなわち挿入時の景品カード１２０の残額から販売された玉貸カード１１８のカード額面と手数料とを減算する処理が制御部４９により行なわれ、さらに、挿入されている景品カード１２０に記録されている残額を前記算出された新たな残り金額に更新する処理が行なわれる。そして、更新された新たな残額がカード残額表示器３１により表示されるとともに、新たな残額に更新された景品カード１２０が景品カード挿入口４２から利用者側に排出される。この玉貸カード販売機２には、手数料設定部４９ａが設けられており、遊技場の係員がこの手数料設定部４９ａを操作することにより前述した景品カード１２０を用いての玉貸カード１１８の販売時における手数料（％）を設定することができる。
なお、図中２６は処理器番号表示部でありこの玉貸カード販売機２の番号が表示される。また２７は販売中表示器、２８は販売中止表示器であり、この玉貸カード販売機２が玉貸カード１１８を販売している最中では販売中止表示器２８が消灯して販売中表示器２７が点灯表示される。逆にこの玉貸カード販売機２が販売中でなかった場合には販売中表示器２７が消灯し、販売中止表示器２８が点灯表示される。図中４６は投入紙幣充満表示器であり、紙幣挿入口３２から挿入された紙幣により紙幣収納部３４が満杯になりそれ以上紙幣が挿入できない状態になった場合にこの投入紙幣充満表示器４６が点灯または点滅表示され、投入紙幣が満杯になった旨を遊技場の係員に表示できるように構成されている。４７は払出紙幣欠乏表示器であり、紙幣払出装置４０によって利用者に払出すために貯留している釣銭紙幣が欠乏した場合にこの払出紙幣欠乏表示部４７が点灯または点滅表示し、その旨を遊技場の係員に報知できるように構成されている。４８は玉貸カード欠乏表示部であり、遊技者に販売するために貯留している玉貸カード１１８が欠乏した場合にこの玉貸カード欠乏表示部４８が点灯または点滅表示され、その旨を遊技場の係員に報知できるように構成されている。
【００２７】
この玉貸カード販売機２によって販売された玉貸カード１１８を使用して利用者がパチンコ遊技を行なう場合には、遊技場１のパチンコ機設置島５０に設置されているカード処理機（カード玉貸機）３ａの玉貸カード挿入口５２に玉貸カード１１８を挿入する。このカード処理機（カード玉貸機）３ａは、パチンコ機設置島５０に複数台設置されている各パチンコ機４に隣接して設けられており、それぞれの隣接するパチンコ機に対応するものである。ゆえに、たとえば図示左側のパチンコ機４によって遊技を行ないたい場合には図示左側のパチンコ機の向かって左側に隣接しているカード処理機（カード玉貸機）３ａの玉貸カード挿入口５２に玉貸カード１１８を挿入する必要がある。玉貸カード挿入口５２に玉貸カード１１８を挿入してカード残額表示器５３で表示される残額の範囲で利用者がパチンコ機４で使用せんとする金額を使用額選択ボタン５４を操作して指定すれば、その指定された金額に対応する玉数がクレジット表示器５５に表示されて、遊技領域に弾発発射する弾球遊技が可能となる。そして、玉貸カード挿入口５２から挿入された玉貸カード１１８の残額から前記使用額選択ボタン５４によって選択された金額を減算した残金額がカード残額表示器５３により表示される。一方、弾球遊技に伴って遊技領域に打込まれたパチンコ玉が入賞する等の所定の遊技状態が発生すればその所定の遊技状態の発生に基づいて所定の遊技価値が遊技者に付与されるのであり、その付与される遊技価値に相当する得点がクレジット表示器５５に加算表示される。一方、前記弾球遊技に用いられるパチンコ玉に相当する得点がクレジット表示器５５で表示されている得点から減算されその減算された後の得点がクレジット表示器５５によって表示される。そして、遊技者が図示しない終了ボタンを押圧操作した場合やパチンコ機２が打止になった場合には、クレジット表示器１５により表示されている得点に相当する景品玉が遊技者に払出される。また、カード処理機３ａにはマイクロコンピュータ等からなる制御部５００が設けられている。なお、クレジット表示器５５を設けることなく、使用額選択ボタン５４の操作により打球供給皿に貸玉を払出すようにしその払出された玉を遊技領域に弾発発射して遊技を行なうようにしてもよい。また、打球供給皿等に玉が充満していることに基づいて、クレジット表示器５５による加算記憶表示を開始するようにしてもよい。
【００２８】
遊技者がスロットマシン設置島５１に設置されているスロットマシンにより遊技を行なう場合も、前述と同様に玉貸カード販売機２によって販売された玉貸カード１１８を玉貸カード挿入口５２に挿入する。そして前述と同様に、カード残額表示器５３に表示されている残額の範囲内で遊技者が使用額選択ボタン５４を選択操作すると、通常ゲームであればその選択された使用額に相当するコインがコイン受皿６２内に払出され、クレジットゲームであれば使用額に相当するコイン数がクレジット表示器５６に加算表示される。遊技者は、その払出されたコインをコイン投入口５７に投入し、スタートボタン５９を押圧操作すればスロットマシン５のドラムが回転し始め、それぞれのドラムに対応するストップボタン６０を順次押圧操作することによりドラムの回転を停止させることができる。そして、横３本と斜め対角線上に２本とからなる合計５本の当りライン上において、停止時のドラムによって表示される識別情報の組合せが予め定められた特定の組合せになれば、景品コインがコイン受皿６２内に払出されたりあるいは以後のゲームにおいて高確率でコインの払出を得られるボーナスゲームが発生したりする。このスロットマシン５は、予め複数のコインをコイン投入口５７に投入して蓄えておき、その蓄えられているコイン数の範囲内で１ゲーム毎にコインを投入することなくゲームが可能となるといういわゆるクレジット機能があり、遊技者がクレジット使用ボタン５８を押圧操作することによりそのクレジットゲームが可能となる。なお、クレジットゲームにおいて停止時のドラムが特定の組合せになれば、組合せに応じたコイン数がクレジット表示器５６に加算表示される。図中６３はボーナスゲームの残り回数を表示するためのボーナスゲーム残回数表示器であり、５６はクレジット表示器であり、現時点におけるクレジットされているコインの枚数を表示するためのものである。６４は払出枚数表示器であり、ゲームの結果コイン受皿６２内に払出されたりクレジット表示器５６に加算表示されるコインの枚数を表示するためのものである。６１はゲーム切換ボタンであり、クレジットゲームと通常のゲームの切換えをするものである。また、カード処理機３ｂにも、マイクロコンピュータ等からなる制御部５００が設けられている。図２中、６５は台番号表示部であり、６６はトラブルの発生を表示するために遊技者が操作するトラブルボタンである。なおカード処理機３ａ，３ｂと遊技機４，５とを一体に構成するようにしてもよい。
【００２９】
前記景品カード挿入口４２，暗証番号入力キー３５，金額／残額表示器２９，カード選択ボタン４４，再遊技使用額表示器３０，確認ボタン４５，玉貸カード排出口３６，カード残額表示器３１，制御部４９，玉貸カード挿入口５２，使用額選択ボタン５４，制御部５００により、前記会員用記録媒体の記録情報により特定された前記有価価値を前記遊技機による遊技を行なうために使用する有価価値遊技使用手段が構成されている。
【００３０】
前記パチンコ遊技機４で遊技をした結果払出されたパチンコ玉は遊技者によって玉計数器９６に投入され、その投入されたパチンコ玉の数が計数されてその計数結果が景品処理装置８に入力される。一方、スロットマシン５によって遊技を行なった結果払出されたコインは遊技者によってコイン計数器９７に投入され、その投入されたコインの枚数が計数されてその計数結果が景品処理装置８に入力される。なお、これらの玉計数器９６やコイン計数器９７を景品処理装置８内に組込んでもよい。また、遊技結果をカードに記録しそのカードを景品処理装置８で読取らせて入力するようにしてもよい。景品処理装置８では、その入力された計数結果の範囲内で、景品カード１２０を新規発行したり増額更新したり特殊景品１２２を払出したりする。
【００３１】
景品処理装置８により新規景品カード１２０を払出す場合には、まず、遊技者に規定の用紙に住所，氏名，電話番号等の必要事項を手書きで記入してもらい、その記入用紙を記入用紙投入口７３に投入してもらう。記入用紙投入口７３に投入された記入用紙は、たとえばＯＣＲ等からなる文字読取装置７４により読取られ、その後記入用紙が用紙収納部７５に収納される。文字読取装置７４で読取った結果識別可能と判断されれば可能な旨の表示をメッセージ表示器８７により表示し、識別不可能であった場合には不能原因をメッセージ表示器８７により表示する。そして、識別可能であった場合には、景品カード登録キー７６を押圧操作する旨の指示をメッセージ表示器８７により表示し、景品カード登録キー７６を遊技者が押圧操作すれば、景品カード収納部７２に収納されている景品カードを１枚取出して景品カード処理器７１により識別するとともに必要な情報をその景品カード１２０に書込んで景品カード挿入排出口７０からその景品カード１２０を払出す。
【００３２】
次に、特殊景品１２２を払出す場合には、まず遊技者が玉計数器９６やコイン計数器９７に景品玉やコインを投入する。すると、その投入された景品玉やコインが玉計数器９６やコイン計数器９７で計数されてその計数結果が景品処理装置８に入力されてその入力された計数結果が玉数／コイン数表示器８５により表示される。次に、特殊景品払出キー８８，一般景品交換用の玉数カード払出キー８９，貯玉キー９０，景品番号指定キー９１のいずれを選択して押圧操作する旨の指示がメッセージ表示器８７により表示される。
【００３３】
遊技者が特殊景品の払出を希望する場合には特殊景品払出キー８８を押圧操作する。すると、テンキー８６により交換額を入力する旨の指示がメッセージ表示器８７により表示され、遊技者は、その指示に従ってテンキー８６により特殊景品の交換額を入力する。次に、確認キー９３を押圧操作する旨の指示がメッセージ表示器８７により表示され、遊技者はその指示に従って確認キー９３を押圧操作する。すると、テンキー８６で入力された金額に相当する特殊景品１２２が特殊景品収納部７９から取出されて特殊景品払出装置８７により特殊景品払出口７７から遊技者側に払出される。その後、レシート発行装置８４により取引内容を記録したレシートが印字されてレシート発行口８３から遊技者側に払出される。
【００３４】
次に、遊技者が一般景品交換用の玉数カードの払出を希望する場合には、前述したメッセージ表示器８７により各操作キー８９〜９１のいずれかを選択操作する旨の指示が表示された段階で、遊技者が玉数カード払出キー８９を押圧操作する。すると、テンキー８６により玉数カードの交換額を入力する旨の指示がメッセージ表示器８７により表示され、遊技者がテンキー８６により希望する玉数カードの交換額を入力する。次に、確認キー９３を押圧操作する旨の指示がメッセージ表示器８７により表示され、遊技者は確認キー９３を押圧操作することにより、玉数カード収納部８２に収納されている玉数カードを取出して玉数カード払出装置８１により玉数カード排出口８０から希望額どおりの玉数カードが排出される。そして前述と同様に取引内容を記録したレシートが発行される。
【００３５】
次に、玉計数器９６やコイン計数器９７に投入した玉やコインが有する有価価値を景品カード１２０に記録して貯えておくいわゆる貯玉を行なう場合には、前述したメッセージ表示器８７により各種操作ボタン８８〜９１のいずれかを選択操作する旨の指示が表示された段階で、遊技者は貯玉キー９０を押圧操作する。すると、景品カード１２０を景品カード挿入排出口７０に挿入する旨の指示がメッセージ表示器８７により表示され、遊技者はそれに従って自己の所有する景品カード１２０を景品カード挿入排出口７０に挿入する。次にテンキー８６により暗証番号を入力する旨の指示がメッセージ表示器８７により表示され、遊技者がテンキー８６より暗証番号を入力する。その入力された暗証番号が不適正なものであった場合には再入力をする旨の指示がメッセージ表示器８７により表示される。その場合に挿入された景品カード１２０を機内に回収してもよい。一方、入力された暗証番号が適正なものであった場合には、挿入された景品カード１２０に記録されている残額が玉数／コイン数表示器８５により表示され、さらに、テンキー８６により貯玉額すなわち景品カードに記録して貯えておく額を入力する旨の指示がメッセージ表示器８７により表示される。そして遊技者がテンキー８６によりその貯玉額を入力すれば、確認キー９３を押圧操作する旨の指示がメッセージ表示器８７により表示され、遊技者が確認キー９３を押圧操作すれば、入力された貯玉額だけ挿入されている景品カード１２０に記録されている残額が加算更新される。
【００３６】
次に、利用者が自己の景品カード１２０を使用して遊技場のカウンタ等に備えられている景品カタログを見てそのカタログに掲載されている景品を入手したい場合には、前述した各種操作キー８８〜９１のいずれかを選択操作する旨の指示がメッセージ表示器８７で表示された段階で、利用者が景品番号指定キー９１を押圧操作する。次に、景品番号をテンキー８６から入力する旨の指示がメッセージ表示器８７で表示され、利用者は、カタログ等を見て予め決めている希望の景品の景品番号をテンキー８６から入力する。すると、景品個数指定キー９２を押圧操作する旨の指示がメッセージ表示器８７で表示され、遊技者はそれに従って景品個数指定キー９２を押圧操作する。次に、希望する景品個数をテンキー８６から入力する旨の指示がメッセージ表示器８７により表示され、利用者は自己の希望する景品個数をテンキー８６から入力する。次に、確認キー９３を押圧操作する旨の指示がメッセージ表示器８７で表示され、利用者がそれに従って確認キー９３を押圧操作することにより、カタログを利用した景品交換の操作が終了する。
【００３７】
前述した特殊景品の払出，一般景品交換用の玉数カードの払出，カタログを利用しての景品交換は、獲得玉や獲得コインを玉計数器９６やコイン計数器９７に投入する代わりに景品カード１２０に記録されている残額を使用して行なうこともできる。その場合には、まず、利用者が自己の所有する景品カード１２０を景品カード挿入排出口７０に挿入する。すると、暗証番号をテンキー８６から入力する旨の指示がメッセージ表示器８７で表示され、遊技者はそれに従って暗証番号をテンキー８６から入力する。その入力された暗証番号が不適正なものであった場合には再入力の指示がメッセージ表示器８７で表示される。その場合には挿入された景品カード１２０を機内に回収してもよい。一方、入力された暗証番号が適正なものであった場合には、挿入された景品カード１２０の残額が玉数／コイン数表示器８５より表示され、次に、前述と同様に、各種操作キー８８〜９１のいずれかの選択操作をする旨の指示がメッセージ表示器８７で表示される。それに従って、各種操作キー８８〜９１のいずれかを遊技者が操作し、前述と同様の操作で、特殊景品の払出，玉数カードの払出，カタログを利用しての景品交換が可能となる。
【００３８】
次に、前述した特殊景品の払出，玉数カードの払出，貯玉，カタログを利用した景品交換の操作を行なって確認キー９３を押圧操作した段階で、玉数／コイン数表示器８５により表示されている金額を超える額が前記テンキー８６から入力されていた場合には、再入力の指示がメッセージ表示器８７で表示される。一方、テンキー８６で入力された額が玉数／コイン数表示器８５で表示されている金額以下であった場合には、そのテンキー８６によって入力された金額を減額更新した新たな残額が玉数／コイン数表示器８５で表示され、さらに、各種操作キー８８〜９１，９４のいずれかの押圧操作をする旨の指示がメッセージ表示器８７で表示される。利用者が特殊景品払出キー８８，玉数カード払出キー８９，貯玉キー９０，景品番号指定キー９１を押圧操作した場合には、前述した所定の操作を行なうことにより再度特殊景品の払出，玉数カードの払出，貯玉，カタログを利用した景品交換が行なわれる。この特殊景品の払出，玉数カードの払出，貯玉，カタログを利用した景品交換は、玉数／コイン数表示器８５により表示されている残額が残っている限り繰返し行なうことができる。一方、利用者が取引終了キー９４を押圧操作した場合であって玉計数器９６やコイン計数器９７に投入された獲得玉あるいは獲得コインがまだ残っている場合には、景品カード１２０を景品カード挿入排出口７０に挿入する旨の指示がメッセージ表示器８７により表示され、前述した貯玉時の操作と同じ操作をする旨の指示がメッセージ表示器８７により表示され、遊技者が前述した貯玉時の操作と同じ操作をすることにより残っている金額が自己の景品カード１２０に記録されて貯えられる。そして、レシート発行装置８４により取引内容をレシートに記録し、そのレシートがレシート発行口８３から発行される。一方、利用者が自己の景品カードに記録されている残額を使用して前述した特殊景品の払出，玉数カードの払出，カタログを利用した景品交換を行なって、取引終了キー９４を押圧操作すれば、特殊景品の払出，玉数カードの払出，カタログを利用した景品交換に要した金額だけ景品カード１２０に記録されている残額が減額更新される。この減額更新は景品カード処理器７１により行なわれる。そして最終的に前述と同様にレシートが発行される。
【００３９】
また、利用者は前述した貯玉の操作を行なって取引終了キー９４を押圧操作すれば、挿入された景品カード１２０に記録されている残額が貯玉額だけ増額更新され、その更新された後の景品カード１２０は景品カード挿入排出口７０から排出される。この景品カードの増額更新も景品カード処理器７１により行なわれる。そして最終的に前述と同様にレシートが発行される。なお、貯玉の場合にはこのレシートを発行しないようにしてもよい。
【００４０】
この景品処理装置８はターミナルボックス７を介して前述した景品カード発行会社１９の集中管理コンピュータ２０に接続されており、前述した景品カードの新規発行時に入力された利用者の住所，氏名，電話番号等の必要事項に関する情報が景品カード発行会社１９の集中管理コンピュータ２０に伝送される。さらに、前述したテンキー８６から入力された景品番号や景品個数ならびに投入された景品カード１２０のカードナンバー等がこのターミナルボックス７を介して景品カード発行会社１９の集中管理コンピュータ２０に伝送される。集中管理コンピュータ２０では、伝送されてきた利用者の住所，氏名，電話番号等の必要事項をその利用者が所持している景品カード１２０の番号と対応させて記憶しており、景品カード１２０のカード番号が伝送されてくればそのカード番号からその景品カード１２０の所持者の住所，氏名，電話番号等の必要事項を割出し、その利用者の住所に近い加盟店の加盟店用管理コンピュータに景品番号とその個数情報ならびに景品の送り先である利用者の住所，氏名，電話番号等が送信される。そして、後日その加盟店から利用者の希望する景品が希望する個数だけ利用者に配達される。なお、図中９５は景品処理装置８を制御するためのマイクロコンピュータ等からなる制御部である。また、６７は装置番号表示部、６８は作動中である旨を表示する作動中表示器、６９は作動中止している旨を表示する作動中止表示器である。景品カード挿入排出口７０，テンキー８６，メッセージ表示器８７，特殊景品払出キー８８，確認キー９３，取引終了キー９４，玉数カード払出キー８９，景品番号指定キー９１，景品個数指定キー９２，制御部９５，景品カード処理器７１により、前記会員用記録媒体の記録情報により特定された前記有価価値を景品交換に使用するための有価価値景品交換使用手段が構成されている。
【００４１】
図中１０はホール用管理コンピュータであり、景品処理装置８，玉貸カード販売機２，スロットマシン５，パチンコ遊技機４，カード処理機３ａ，３ｂと接続されている。図中９８はキーボードであり、９９はＣＲＴディスプレイであり、１００はプリンタである。また、前記カード処理機３ａ，３ｂはターミナルボックス６を介して玉貸カード発行会社１２の集中管理コンピュータ１３に接続されている。
【００４２】
景品処理装置８から払出された特殊景品を現金に交換したい場合には、利用者が特殊景品１２２を銀行２１にまで持参し、銀行２１に設置されている特殊景品精算機２４の特殊景品投入口１０７から特殊景品１２２を投入する。すると、投入された特殊景品１２２に見合った金額が精算額表示器１１６により表示され、利用者が確認キー１１５を押圧操作すれば、紙幣払出装置１０５が作動して紙幣収納部１０６内の紙幣が紙幣払出口１０４から利用者に払出されるとともに、必要に応じて硬貨払出装置１１１が作動して硬貨収納部１１２内の硬貨が硬貨払出口１１０から利用者に払出される。その払出される紙幣や硬貨からなる貨幣の金額は精算額表示器１１６により表示された金額に一致するように制御される。その後レシート発行装置１１４が作動して所定事項が印刷されたレシートがレシート発行口１１３から利用者に発行される。なお図中１１７はマイクロコンピュータ等からなる制御部である。また１０１は精算機番号表示部、１０２は作動中表示器、１０３は作動中止表示器である。また、この特殊景品精算機２４がターミナルボックス２５を介して景品カード発行会社１９の集中管理コンピュータ２０に接続されており、特殊景品１２２の景品カード発行会社１９への入庫数が集中管理コンピュータ２０に伝送されるようになっている。
【００４３】
【００４４】
図３は、玉貸カードに記録されている記録情報を説明するための説明図である。
【００４５】
玉貸カード１１８の磁気ストライプ１１９には、玉貸カード１１８の番号であるカード番号，残額情報，カードセキュリティを向上させるためのセキュリティコード等が記録されている。
【００４６】
図４は、景品カードに記録されている記録情報を説明するための説明図である。
【００４７】
景品カード１２０の磁気ストライプ１２１には、この景品カード１２０の使用有効期限を特定するためのカード有効期限，景品カード１２０の番号であるカード番号，残額（残景品金額），景品カード１２０のセキュリティを向上させるためのセキュリティコード等が記録されている。
【００４８】
図５は、特殊景品を示す正面図である。
特殊景品１２２はプレート状の樹脂の一部に磁気ストライプ１２３が形成された磁気カードで構成されている。この磁気ストライプ１２３には、この特殊景品１２２が発行された番号である発行番号，この特殊景品１２２のセキュリティを向上させるためのセキュリティコード等が記録されている。さらに、特殊景品１２２の一部には、その特殊景品１２２の景品価値に見合った値打を有する金のチップ１２４が組込まれている。
【００４９】
図６は、前述したカタログを利用して景品を選択して景品交換を行なった場合に景品処理装置８から発行されたレシートであり、図示したような情報が印刷されている。図３，図４に示した各種カードおよび図５に示した特殊景品は磁気カードに限らず、ＩＣカード，光カード（光ディスクメモリを利用したもの），感熱式カード，バーコードを付したカード，パンチ孔を穿設したカード等、種々のもので構成してもよい。また、図３，図４に示した各種カードでは残額情報を記録し更新するようにしたが、残額情報をカードに記録することなく、カード番号を元にしてホール用管理コンピュータ１０や集中管理コンピュータ１３，２０において玉数情報や残額情報を更新するといういわゆるカードの背番号管理を行なうようにしてもよい。
【００５０】
図７は、景品カード発行会社に設置されている集中管理コンピュータおよびその集中管理コンピュータに接続される各種機器を説明するための説明図である。
【００５１】
集中管理コンピュータ２０には補助コンピュータ１２６が接続されており、この補助コンピュータ１２６にはＣＲＴディスプレイ１２８とキーボード１３０とプリンタ１２９とが接続されている。補助コンピュータ１２６の電源スイッチ１２７に所定のオペレータが所持するキーを差込み操作することにより、キーボード１３０が能動化される。キーボード１３０には、遊技場（ホール）別のデータを集計するためのホール別集計キー１３１，加盟店別の売上を集計するための店別売上キー１３２，景品カード別のデータを集計するためのカード別集計キー１３３，特殊景品の入出庫データを集計するための景品入出庫キー１３４，事故カードデータを集計するための事故キー１３５，プリンタ１２９により所定のデータを印字させるための印字キー１３６が設けられている。前記各種のキー１３１〜１３５を操作することにより、前述したそれぞれのデータが集計されてその集計結果がＣＲＴディスプレイ１２８により表示される（図８〜図１１）。さらにキーボード１３０には、数字等を入力するためのテンキー１３７，文字情報を入力するための文字情報入力キー１３８やその他の機能キーが設けられている。
【００５２】
図８は、景品カード発行会社の集中管理コンピュータによって行なわれたホール別集計情報を示す図である。
【００５３】
第１行目のＢ，Ｃは遊技場（ホール）の名称を示しており、２行目は集計されたデータの種類を示したものである。すなわち、「景品カード更新額」は、景品処理装置８（図１，図２参照）によって増額更新された景品カード１２０の更新額を意味し、増額更新の際に集中管理コンピュータ２０に送信してきたデータの送信元であるターミナルボックス７の番号等によって、景品カード発行会社１９が請求する請求先の遊技場が特定される。なお、景品処理装置８の処理機番号を元に請求先の遊技場を特定するようにしてもよい。増額更新データと共に遊技場コードをターミナルボックス７から集中管理コンピュータ２０に送信させるようにしてもよい。「特殊景品出庫額」は、景品カード発行会社１９からその遊技場に出荷された特殊景品１２２の金額を意味する。「再遊技使用額」は、景品カード１２０に記録されている残額を使用して再遊技を行なう際の玉貸カードの購入に使用された金額を意味する。そして、図示一番左の列は日付を示しており、さらに、景品カード更新額，特殊景品出庫額，再遊技使用額の合計と各請求額と差額が示されている。再遊技使用額の合計をＢ３またはＣ３とすると、Ｂ３＝Ｂ３′×１．３５，Ｃ３＝Ｃ３′×１．３５となる。ここに、Ｂ３′，Ｃ３′は、実際に再遊技に使用された額すなわち景品カードを使用しての玉貸カードの購入額であり、その額に対し手数料として３５％を加算した額が合計額となる。また、景品カード発行会社１９から各遊技場に代金を請求する請求額が算出されて表示される。景品カード更新額の場合には合計額Ｂ１がそのまま請求額となる。特殊景品出庫額の場合には、合計額Ｂ２に対し一定の手数料を上乗せしたＢ２×１．０１が請求額となる。再遊技使用額の場合には、実際に再遊技に使用された額すなわち景品カードを使用しての玉貸カードの購入額Ｂ３′に対し一定の手数料を上乗せしたＢ３′×１．３が請求額となる。Ｃホールの場合も請求額の計算は図示するようにＢホールと同じである。さらに、図８の一番下の行に示したカード請求額の差額が実際に景品カード発行会社１９から各遊技場に請求される。また、景品処理装置８に入力された景品玉数データや景品コイン数データの合計すなわち遊技場１が払出した景品玉や景品コインの合計データを景品カード発行会社１９の集中管理コンピュータ２０に送信し、集中管理コンピュータ２０では、その送信されてきたデータに基づいて遊技場毎の景品玉計数合計や景品コイン計数合計を集計して表示するようにしてもよい。その場合には、後述する図１２に示す遊技場毎のカード玉貸額の集計データとこの景品玉計数合計データ，景品コイン計数合計データとに基づいて、遊技場毎の利益を割出すことができ、遊技場の経理がガラス張り化されて脱税等を防止できる。
【００５４】
図９は、景品カード発行会社の集中管理コンピュータによって集計されたカード別集計データを示す図である。
【００５５】
図中、一番上の行には景品カードのカード番号が示されており、その下の行には前の月の景品カードの景品残金額が示されている。そして、１０月１日から１０月３１日までの１日毎の景品カードの増額更新額と使用額が示されている。たとえば、１０月１日にはカード番号１２００１の景品カードが５，３００円増額更新されているとともに１５，０００円使用されていることがわかる。そして、１０月１日から１０月３１日までの１カ月の増額更新額と使用金額それぞれの合計が算出されて示され、前月残金額と増額更新額の合計との和から使用金額合計を減算した金額は１０月３１日現在における景品カードの残額３０，４００円となる。なお、使用額欄の右側には使用種別欄が設けられており、Ａは特殊景品交換、Ｂは再遊技使用、Ｃはカタログ景品交換を示す。
【００５６】
図１０は、事故カードデータの集計を示す図である。
図中一番左の列には事故カードのカード番号が示されており、紛失カードの場合には紛失した者からの申告があってその後申告されたカードのカード番号が登録される。たとえば図９のカード番号１２００３のカードの場合には、１０月１日に６，５００円増額更新されたのを最後に全く使用や増額更新されていない。そしてこのカード番号１２００３の所持者から紛失した旨の申告が１９９０年１０月２日にあったためにその申告によってカードを事故カードとして登録するとともに図９の残高を示す金額の前に＊印が付されて表示される。一方、図１０に示すカード番号１２００４のカードは残高が改ざんされたカードであり、図９に示すカード番号１２００４の欄のデータを見てもわかるように、１０月１日現在で景品残金額が「０」になっているにもかかわらず１０月１日に３６，０００円使用されているのであり、この１０月１日時点で残高が改ざんされたことがわかる。ゆえに、この１０月１日時点で事故カードとして登録されるのである。この残高が改ざんされた事故カードに対しては、図９に示すように、残高の数字の前に☆印が付されて表示される。図１０に示した事故カード情報は、各遊技場１，１１や加盟店１４，１５等に送信され、それらの場所で事故カードが使用されれば即座に警報を鳴らす等して事故処理が行なえるようにする。
【００５７】
図１１は、加盟店別売上データを示す図である。
図中一番上の行は各加盟店の店名が示されており、その下の数字は、１０月１日から１０月３１日までの各加盟店別の景品カード１２０を使用しての売上金額が示されている。そしてその１カ月の売上合計が算出されて示され、その売上合計の下には各加盟店が景品カード発行会社１９に支払う手数料が示されている。手数料としては、図示するように、売上合計の３％となっている。そして売上合計からその手数料を差し引いた残りの金額は景品カード発行会社１９から各加盟店に支払われる振込金額である。
【００５８】
図１２は、遊技場１における玉貸カードの売上および使用に関するデータを集計したデータを示す図である。
【００５９】
図中、「玉貸カード売上額」とは、各遊技場１，１１の玉貸カード販売機２によって販売された玉貸カード１１８の売上額を意味し、１０月１日から１０月３１日までの１カ月の売上額とその合計が示されている。「カード玉貸額」とは、玉貸カード１１８を使用してカード処理機３ａ，３ｂによって貸出された玉貸額，コイン貸額を意味し、１０月１日から１０月３１日までの１カ月間の玉貸額とコイン貸額との和が示されているとともに１カ月の合計が示されている。「再遊技使用額」とは、景品カードの残額を使用して再遊技を行なう場合の使用額であり、実際に再遊技に使用される額すなわち景品カードを使用しての玉貸カードの購入額ｂ３′に対し手数料（３５％）を加算した額となる。また、「手数料」とは、再遊技使用額に対し遊技場が入手する手数料のことであり、図示するように、実際に遊技に使用される額すなわち景品カードを使用しての玉貸カード購入額ｂ３′に対し３０％の手数料となっている。そして、図１２の一番下の行に、遊技場が景品カード発行会社１９に請求する請求額が示されている。
【００６０】
図１３は、遊技場１における景品交換等に関するデータを集計した図である。図中、「景品交換玉総額」とは、その遊技場で景品交換された額の合計であり、具体的には、一般景品交換額すなわち玉貸カード交換額と特殊景品交換額とカタログを利用した景品交換額と貯玉額との合計である。また、「景品カード更新額」とは、景品カードに記録されている残額を更新した更新額のことであり、具体的には、カタログを利用した景品交換額と貯玉額との和である。なお、カタログ景品交換額には、貯玉しておいた玉数を使用してカタログの景品と交換した額は含まれていない。
【００６１】
次に、本発明の別実施の形態を説明する。
（１）図１４に示すように、玉貸カード１３９の磁気ストライプ１４０に、発行区分を記録する領域を設け、貨幣投入により払出された通常の玉貸カードと景品カードを使用しての再遊技の際に購入された玉貸カードとを区別する情報をその発行区分に記録する。このようにすれば、玉貸カード売上額（図１２参照）を集計する際に、再遊技用の玉貸カードによる売上を算出することが可能となる。
【００６２】
（２）再遊技用として発行された玉貸カードに使用制限を設けるようにしてもよい。たとえば、発行した遊技場においてのみ使用可能にしたり、発行した遊技場とその系列店においてのみ使用可能としたり、発行した遊技場の属する所定の地域内においてのみ使用可能にしたり、さらには、その玉貸カードの使用有効期限を設けてもよい。なお、このような制限を設ける場合には、図１５に示すように、カード１４１の磁気ストライプ１４２に発行店コードを記録し、カード使用時に発行店コードをチェックして、その玉貸カードが使用し得るか否かをチェックする必要がある。
【００６３】
（３）再遊技用の玉貸カードを図１５に示すように専用の再遊技カード１４１で構成してもよい。またその再遊技カード１４１のカード処理機は前記カード処理機３ａ，３ｂと共用にしてもよいし、また専用のカード処理機により玉貸を許容するようにしてもよい。また、景品カードを直接カード処理機等に挿入して再遊技ができるように構成してもよい。
【００６４】
（４）玉貸カードや再遊技カード１４１を用いずに、玉やコインを遊技者に直接払出すようにしてもよい。
【００６５】
（５）  景品カードに貯玉し、その貯玉された有価価値を再遊技に使用する際に所定の制限を設けるようにしてもよい。たとえば、貯玉した遊技場においてのみ再遊技に使用可能として顧客の固定化を図ったり、貯玉した遊技場とその系列店においてのみ再遊技に使用可能としたり、さらには、貯玉した遊技場の属する所定の地域内においてのみ再遊技に使用可能とする。なお、貯玉の再遊技にこのような制限を設ける場合には、図１６に示すように、景品カード１４３の磁気ストライプ１４４に貯玉を行なった遊技場のコードを記録し、その景品カード１４３の使用時にチェックできるようにする必要がある。図１６に示す景品カード１４３の磁気ストライプ１４４には、さらに再遊技可能残額が記録されており、この再遊技可能残額がたとえば最新の貯玉の内容に書換更新されるように構成する。この遊技店コードとその遊技店コードに相当する遊技場等において再遊技が可能な再遊技可能残額との組合せを磁気ストライプ１４４に複数組記録させ、貯玉を行なった複数の遊技場で再遊技できるようにしてもよい。
【００６６】
（６）景品カードを再遊技に使用する際の前述した手数料をなくしてもよい。また、この手数料を図１７に示すように、景品カード１４５の磁気ストライプ１４６に記録するようにしてもよい。そのようにすれば前述した手数料設定部４９ａは不要となる。図１７の景品カード１４５の磁気ストライプ１４６には、遊技店コードを記録する領域があり、再遊技可能残額分の貯玉が行なわれた遊技店のコードすなわち手数料を設定した遊技店のコードが記録される。このようにすれば、他店で再遊技する場合の手数料を順当なものにすることができる。また、手数料を貯玉が行なわれた遊技店の利益とすることも可能であるので、手数料を遊技店が決めかつ再遊技が可能な遊技店に特に制限を設けない場合にも、各遊技店の手数料収入を順当なものにすることができる。
【００６７】
（７）貯玉を使用して再遊技を行なう際に、必要に応じてある遊技場において１日に使用できる貯玉の使用額に上限を設けてもよい。
【００６８】
（８）各カード１１８，１２０，１３９，１４１，１４３，１４５において、カード番号，セキュリティコード以外の一部または全部の情報をホール別売上集中管理コンピュータ１３や加盟店別売上・ホール別景品交換集中管理コンピュータ２０に記憶させ、前記各カードの使用時にそのカードに記録されている情報と前記集中管理コンピュータ１３，２０に記憶されているカード情報とを照合していわゆる背番号管理を行なってもよい。
【００６９】
（９）特殊景品１２２を用いることなく、景品カード１２０の有する有価価値（残額）を直接現金化できるようにしてもよい。
【００７０】
（１０）景品処理装置８を、前述した特殊景品払出機能，玉数カード払出機能，貯玉機能，カタログを利用した景品交換機能等の各機能毎に複数の装置に分けて構成してもよい。また、景品処理装置８の操作を遊技店の店員に行なわせるようにしてもよい。
【００７１】
（１１）玉貸カード１１８や景品カード１２０等の記録媒体によって特定される残額等の有価価値を遊技機による遊技に直接使用するようにしてもよい。たとえば、パチンコ遊技機４により打玉を１発打つ毎に前記記録媒体の有価価値を１点ずつ減算したり、また、スロットマシン５により１ゲームが行なわれる毎に前記記録媒体の有価価値からその１ゲームに要する価値を減算し、さらに、パチンコ遊技機４が有価価値を付与する状態となったりまたスロットマシン５が有価価値を付与する状態となった場合にその付与される有価価値を直接前記記録媒体によって特定される有価価値に加算記録するようにしてもよい。
【００７２】
（１２）玉貸カード販売機２を銀行２１のデータベース２３とオンラインで接続し、キャッシュカードを使用してその玉貸カード販売機２から玉貸カード１１８が購入できるようにしてもよい。つまり、キャッシュカードを玉貸カード販売機２に挿入することにより、そのキャッシュカードに記録されている記録情報に基づいて銀行２１内におけるそのキャッシュカードの使用者の口座を呼出し、その口座内の預金の一部を引落してその引落し額を使用して玉貸カード販売機２から玉貸カード１１８を購入するようにしてもよい。
【００７３】
【発明の効果】
請求項１に記載の本発明によれば、遊技の結果遊技者の所有となった有価価値を遊技に使用する際にわざわざ一旦現金に交換する必要がなくなり、遊技の結果遊技者の所有となった有価価値を使用して再遊技を行なう際の煩雑さが軽減される。
しかも、遊技者は、有価価値加算更新手段により大きな有価価値になるまで加算更新した上で景品交換でき、高額景品との交換も可能になる。また、有価価値景品交換使用手段により特殊景品が払出されるために、特殊景品に関する景品交換に対しての遊技場の係員の負担を軽減することができる。さらに、特殊景品との交換に使用する有価価値の大きさを入力することができ、遊技者の意思を反映した有価価値の大きさを特殊景品に交換することができ、遊技者の利便性が向上する。
請求項２に記載の本発明によれば、請求項１に記載の発明の効果に加えて、次の効果が奏される。一般景品の場合には特殊景品に比べて種類が多いが、一般景品と交換可能な有価価値を特定可能な情報が記録された記録媒体が一旦排出され、その記録媒体を介して一般景品との景品交換を行なうようにしているために、一般景品との交換のためにそれほど大掛かりな機械設備を必要とせず、遊技場の負担を抑えることができる。
【図面の簡単な説明】
【図１】本発明に係る遊技用設備装置の一例の概略を示すシステムブロック図である。
【図２】遊技場の要部を示す構成図である。
【図３】玉貸カードに記録される情報を説明するための説明図である。
【図４】景品カードに記録される情報を説明するための説明図である。
【図５】特殊景品を示す正面図である。
【図６】レシートの印字内容を示す正面図である。
【図７】カード発行会社の集中管理コンピュータおよびその集中管理コンピュータに接続される各種機器を示す説明図である。
【図８】景品カード発行会社の集中管理コンピュータによって集計されたホール別集計データを示す図である。
【図９】景品カード発行会社の集中管理コンピュータによって集計されたカード別集計データを示す図である。
【図１０】景品カード発行会社の集中管理コンピュータによって集計された事故カードの集計データを示す図である。
【図１１】景品カード発行会社の集中管理コンピュータによって集計された加盟店別売上データを示す図である。
【図１２】遊技場における玉貸カードの売上および使用に関するデータを集計したデータを示す図である。
【図１３】遊技場における景品交換に関するデータを示す図である。
【図１４】  別実施の形態における玉貸カードに記録される情報を説明するための説明図である。
【図１５】  別実施の形態における再遊技カードに記録される情報を説明するための説明図である。
【図１６】  別実施の形態における景品カードに記録される情報を説明するための説明図である。
【図１７】  別実施の形態における景品カードに記録される情報を説明するための説明図である。
【符号の説明】
１は遊技場、２は玉貸カード販売機、３ａ，３ｂはカード処理機、４はパチンコ遊技機、５はスロットマシン、８は景品処理装置、１０はホール用管理コンピュータ、１３はホール別売上集中管理コンピュータ、２０は加盟店別売上・ホール別景品交換集中管理コンピュータ、４２は景品カード挿入口、３５は暗証番号入力キー、２９は金額／残額表示器、４４はカード選択ボタン、３０は再遊技使用額表示器、４５は確認ボタン、３６は玉貸カード排出口、３１はカード残額表示器、５００は制御部、５２は玉貸カード挿入口、５３はカード残額表示器、５４は使用額選択ボタン、７０は景品カード挿入排出口、８６はテンキー、８５は玉数／コイン数表示器、８８は特殊景品払出キー、９３は確認キー、９４は取引終了キー、８９は玉数カード払出キー、９１は景品番号指定キー、９２は景品個数指定キー、１２０，１４３，１４５は景品カードである。
【図１】
0003712544.tif 000002
【図２】
0003712544.tif 000003
【図３】
0003712544.tif 000004
【図４】
0003712544.tif 000005
【図５】
0003712544.tif 000006
【図６】
0003712544.tif 000007
【図７】
0003712544.tif 000008
【図８】
0003712544.tif 000009
【図９】
0003712544.tif 000010
【図１０】
0003712544.tif 000011
【図１１】
0003712544.tif 000012
【図１２】
0003712544.tif 000013
【図１３】
0003712544.tif 000014
【図１４】
0003712544.tif 000015
【図１５】
0003712544.tif 000016
【図１６】
0003712544.tif 000017
【図１７】
0003712544.tif 000018